(57)【要約】  【課題】  撮影モードと再生モードとを同時に存在させ、操作性を良好とする。  【解決手段】  通常の表示画面ＳＴ１には、現在の被写体の撮影画像Ｒと、撮影画像Ｒの左隣に直前に撮影して取得された再生画像Ｐ１が互いに重ならないで表示される。再生画像Ｐ１の左隣には、その前の再生画像Ｐ２が位置する。画面ＳＴ１は、撮影モードと再生モードの混在状態であり、新たな画像を記録することができると共に、所望の画像を再生画像として表示することができる。シャッターボタン２４を押すと、遷移表示画面ＳＴ２を経て表示画面ＳＴ３にアニメーションで遷移する。表示画面ＳＴ３では、現在の被写体の撮影画像Ｒ’の左隣に、撮影画像Ｒから派生した再生（記録済）画像Ｐ０が位置し、さらに左隣に再生画像Ｐ１が位置するものとなる。【選択図】  図４
2005328243.tif 000002
【特許請求の範囲】
【請求項１】
撮像装置において、
撮像素子と、表示装置と、撮影された画像と、上記表示装置に表示される画像を蓄える記憶媒体と、ユーザの入力を受け付ける入力装置とを備え、
上記撮像素子が現在捉えている被写体の画像である第１の画像と、上記記憶媒体に保存されている撮影済の１または複数の第２の画像とが同時に且つ上記第１の画像と上記第２の画像とが重ならないように表示され、
撮影および撮影済画像の再生の両者が可能とされた撮像装置。
【請求項２】
請求項１において、
上記第１の画像と上記第２の画像とが異なる大きさとされる撮像装置。
【請求項３】
請求項１において、
上記第１の画像と上記第２の画像との少なくとも一方に対して、アイコンまたはカーソルが付加される撮像装置。
【請求項４】
請求項１において、
上記第１の画像と上記第２の画像とが同時に表示されている状態において、シャッターボタンを押す操作に応答して、新たな撮影画像が上記第１の画像として表示されると共に、以前の上記第１の画像が上記第２の画像として表示される撮像装置。
【請求項５】
請求項１において、
上記第１の画像と上記第２の画像とが同時に表示されている状態において、削除ボタンを押す操作に応答して、上記第２の画像が削除される撮像装置。
【請求項６】
表示装置を有する撮像装置における画面表示方法において、
撮像素子が現在捉えている被写体の画像である第１の画像と、記憶媒体に保存されている撮影済の１または複数の第２の画像とを同時に且つ上記第１の画像と上記第２の画像とが重ならないように表示され、
撮影および撮影済画像の再生の両者が可能であることが示される撮像装置における画面表示方法。
【請求項７】
撮像装置のインターフェースにおいて、
表示装置と、
撮像素子が現在捉えている被写体の画像である第１の画像と、記憶媒体に保存されている撮像済の１または複数の第２の画像とが同時に且つ上記第１の画像と上記第２の画像とが重ならないように表示され、
撮影および撮影済画像の再生の両者が可能とされたユーザインターフェース。
【発明の詳細な説明】
【技術分野】
【０００１】
この発明は、撮影モードと再生モードとが同時に存在するようにした撮像装置、画面表示方法およびユーザインターフェースに関する。
【背景技術】
【０００２】
ディジタルカメラとして比較的大きな画面を有する表示デバイス例えばＬＣＤ（Liquid Crystal Display)を備えるものが広く普及している。ＬＣＤは、撮影時には、構図、画
角等を設定するために使用され、また、記録済の画像を再生し、再生画像を表示するためにも使用される。
【０００３】
動画と静止画を撮ることが可能な電子カメラにおいて、撮影年月日ごとに動画と静止画とを撮影した順に同一時間軸上に並べて表示することが下記の特許文献１に記載されている。特許文献１に記載されているものは、撮影済みの画像を表示し、再生したい画像を簡単に検索することを可能とするものである。
【０００４】
【特許文献１】特許第３０３３２４号明細書
【発明の開示】
【発明が解決しようとする課題】
【０００５】
従来のディジタルカメラでは、撮影モードと再生モードとを切り換えるために、何らかの入力装置の操作を必要としていた。その結果、撮影モードと再生モードとが分離され、例えば直前に撮影した画像を確認しながら撮影を行うことが難しかった。ディジタルカメラのユーザインターフェースは、複数のユーザにとって予測可能で直感的なものであることが好ましい。このようなインターフェースは、ユーザの概念モデルに一致したものと言える。特許文献１に記載のものは、撮影済の画像のみを対象とするものであって、撮影モードで捉えられた画像については、何ら考慮されておらず、モード切り替えをユーザの概念モデルと整合するように行うことについては、何ら記載されていない。
【０００６】
さらに、記録済画像を削除したい時には、撮影モードから再生モードに切り替えて後、記録済画像を削除する操作が必要であり、操作性が良くなかった。
【０００７】
したがって、この発明の目的は、撮影モードと再生モードが同時に存在して、操作性を向上できる撮像装置、画面表示方法およびユーザインターフェースを提供することにある。
【課題を解決するための手段】
【０００８】
上述した課題を解決するために、この発明の第１の態様は、撮像装置において、
撮像素子と、表示装置と、撮影された画像と、表示装置に表示される画像を蓄える記憶媒体と、ユーザの入力を受け付ける入力装置とを備え、
撮像素子が現在捉えている被写体の画像である第１の画像と、記憶媒体に保存されている撮影済の１または複数の第２の画像とが同時に且つ第１の画像と第２の画像とが重ならないように表示され、
撮影および撮影済画像の再生の両者が可能とされた撮像装置である。
【０００９】
この発明の第２の態様は、表示装置を有する撮像装置における画面表示方法において、
撮像素子が現在捉えている被写体の画像である第１の画像と、記憶媒体に保存されている撮影済の１または複数の第２の画像とを同時に且つ第１の画像と第２の画像とが重ならないように表示され、
撮影および撮影済画像の再生の両者が可能であることが示される撮像装置における画面表示方法である。
【００１０】
この発明の第３の態様は、撮像装置のインターフェースにおいて、
表示装置と、
撮像素子が現在捉えている被写体の画像である第１の画像と、記憶媒体に保存されている撮像済の１または複数の第２の画像とが同時に且つ第１の画像と第２の画像とが重ならないように表示され、
撮影および撮影済画像の再生の両者が可能とされたユーザインターフェースである。
【発明の効果】
【００１１】
この発明によれば、撮影画像と直前に撮影された記録済画像とを同時に表示するので、記録済画像を見ながら新たに撮影する被写体、構図等を決定できる。また、この発明では、撮影モードと再生モードとが同時に存在するので、シームレスにモードを切り替えることができる。また、撮影中でも、モード切り替えを行うことなく、記録済画像を削除できる。
【発明を実施するための最良の形態】
【００１２】
以下、この発明の一実施形態について図面を参照しながら説明する。図１に、この発明の一実施形態によるディジタルカメラの構成の一例を示す。図１において、破線で囲んで示す部分は、ＣＰＵ(Central Processing Unit) １によって制御される処理部を示す。
【００１３】
処理部１は、ＲＡＭ等の内部記録媒体３、画像処理部４、外部インターフェース５、ＲＧＢ処理部６、信号処理部７およびビデオ出力処理部８によって構成されている。ＣＰＵ２に対して操作部９が接続され、操作部９に設けられシャッター等の操作に応じた信号がＣＰＵ２に供給される。
【００１４】
さらに、メディア処理部１０を介して外部記録媒体１１に対して撮像信号をＪＰＥＧ（Joint Photographic Experts Group)等で圧縮したデータを記録するようになされている
。外部記録媒体１１は、書き込み可能な光ディスク、メモリカード等である。
【００１５】
信号処理部７には、撮像素子としてのＣＣＤ（Charge Coupled Device)１２からの撮像信号が供給され、撮像信号の処理がなされる。操作部９からの入力の有無と無関係に、ＣＣＤ１２により撮像された画像信号が信号処理部７から出力され、内部記録媒体３に保存される。撮影中では、内部記録媒体３の画像が常に更新されている。内部記録媒体３のデータの書き込み、読み出し等は、ＣＰＵ２によって制御される。
【００１６】
内部記録媒体３からの撮像信号が信号処理部７を通ってＲＧＢ処理部６に供給され、ＲＧＢ処理部６で形成された表示信号が表示装置としてのＬＣＤ（Liquid Crystal Display)１３に供給される。ＬＣＤ１３は、例えばカメラ本体の背面に設けられたものである。
ＬＣＤ１３には、撮像信号のみならず、外部記録媒体１１からメディア処理部１０を介して取り込まれた画像信号も表示される。
【００１７】
操作部９のシャッターが押された場合には、内部記録媒体３に取り込まれた撮像信号が画像処理部４において、ＪＰＥＧ等の画像ファイルに変換される。画像ファイルは、内部記録媒体３に撮像信号とは別のデータとして保存される。そして、ＣＰＵ２の制御によって、内部記録媒体３から読み出された画像ファイルがメディア処理部１０を介して外部記録媒体１１に保存される。
【００１８】
常に更新されてＬＣＤ１３に撮影画像が表示される。撮影画像に対して、記録済の画像データの縮小画像、アイコン等のＯＳＤデータが信号処理部７で重ね合わされて、ＬＣＤ１３に表示される。ＯＳＤ(On Screen Display)とは、カメラから取り込んだリアルタイ
ムの画像に重ねて表示するアイコン等のデータを準備するためのメモリ領域や、仕組みを総称する用語である。
【００１９】
ＯＳＤデータを作成する際には、外部記録媒体１１に既に記録されている最新の画像データを取得し、画像処理部４によって、ＯＳＤ表示に適したサイズに変換してから、内部記録媒体３のＯＳＤ表示エリアに記憶する。但し、直前に撮影した画像のＯＳＤ表示に適したサイズの画像が内部記録媒体３に存在する時には、外部記録媒体１１からデータを取得する必要がない。画像処理部４は、操作部９におけるユーザのキー等の操作に応答して、表示する画像の拡大または縮小の処理を行うように、ＣＰＵ２によって制御される。
【００２０】
ビデオ出力処理部８から図示しない映像出力端子には、アナログのカラービデオ信号が取り出される。映像出力端子に対して外部モニタ１４を接続した場合には、内部記録媒体３または外部記録媒体１１に蓄積されている画像を外部モニタ１４によって表示することができる。さらに、外部インターフェース５には、例えばプリンタ１５が接続され、画像を印刷することが可能とされている。
【００２１】
操作部９には、十字キーが含まれている。十字キーは、十字形の操作部の各先端部（左ボタン、右ボタン、上ボタン、下ボタンと称する）を押すことによってカーソルの移動方向を上下左右の何れかの方向に指定するものである。なお、方向キーとしては、十字キー以外に、ダイヤル、ローラ、トラックボール、タッチパネル等の入力装置を使用することができる。また、機械的な構成に限らず、表示画面のボタン等を操作するＧＵＩ(Graphical User Interface)を使用しても良い。
【００２２】
図２は、一実施形態におけるＬＣＤ１３に表示される画像を説明するもので、参照符号Ｒが現在撮影中の撮影画像であり、Ｐが撮影済で再生モードで再生される再生画像である。再生画像は、必要に応じて外部記録媒体１１から読み込まれ、内部記録媒体３に記憶されている。撮影画像Ｒを先頭にして、再生画像Ｐ１，Ｐ２，Ｐ３，・・・と再生画像が時間軸の順に１軸上に並べられる。図２に向かって右方向が過去から現在への時間軸方向であり、左方向が現在から過去への時間軸方向である。１軸上の配列された画像は、ＬＣＤ１３の表示画面において、横方向、縦方向または斜め方向に配列される。一実施形態では、横方向に複数の画像を配列している。
【００２３】
ＬＣＤ１３としては、アスペクト比が４対３のものと、１６対９のようなワイドなものとの何れも使用できる。図２におけるＳＣは、ワイドＬＣＤを使用した場合の表示枠を表している。この場合では、撮影画像Ｒと再生画像Ｐ１，Ｐ２とが同時に表示されている。後述するように、十字キーによって、時間軸方向に画像を送ることができる。
【００２４】
撮影画像Ｒと再生画像Ｐとの識別を容易とするために、撮影画像Ｒが再生画像Ｐに比してより大きなサイズとされている。また、画像に異なる形状のアイコンを付加することによって、撮影画像Ｒと再生画像Ｐとを識別するようにしても良い。
【００２５】
図３は、ＬＣＤ１３の表示を形成するために、内部記録媒体３に保持されている表示用のデータを概略的に示すものである。図３Ａに示される撮影画像Ｒは、内部記録媒体３に保持され、撮影モード中では、操作部９の操作がなされない状態でも、フレーム等の周期でもって更新され続ける。
【００２６】
図３Ｂは、内部記録媒体３の撮影データＲとは別に記憶されているＯＳＤデータを示す。ＯＳＤデータは、撮影データＲに重ね表示するアイコンのデータである。この発明の一実施形態では、ＯＳＤデータとして、最近の複数の記録画像の再生画像Ｐ１，Ｐ２が表示枠ＳＣに対応する内部記録媒体３の記憶領域ＭＣ内に配置される。再生画像データＰ１，Ｐ２は、外部記録媒体１１から取り込まれ、画像処理部４によって復号並びにサイズの縮小がなされて後、内部記録媒体３に格納される。内部記録媒体３に直前に撮影した画像のＯＳＤ表示に適したサイズの画像があれば、外部記録媒体１１からデータを取得する必要がない。
【００２７】
再生画像Ｐ１，Ｐ２は、撮影画像Ｒに比して小さいサイズのものである。画像のサイズによって、画像の種類を判別することができる。ＯＳＤデータには、撮影画像であることを示すアイコン３１と、再生画像であることを示すアイコン３２とが含まれている。これらのアイコン３１および３２によって、ユーザは、画像の種類を容易に判別することができる。但し、以下の説明では、アイコン３１および３２についての図示を省略する。なお、ＯＳＤデータは、複数階層のデータとして構成されていても良い。図３Ｃに示すように、撮影画像ＲとＯＳＤデータとが合成されてワイドタイプのＬＣＤ１３に対して表示される。
【００２８】
図４に示すように、ディジタルカメラの背面にアスペクト比（１６：９）等のワイド形のＬＣＤ１３が設けられている。参照符号２４がシャッターボタンであり、参照符号２５がメニューボタンであり、参照符号２６が削除ボタンであり、参照符号２７が十字キーである。
【００２９】
ＳＴ１は、電源をオンとすると、表示される通常の表示画面を示す。レンズを通して捉えられた現在の被写体の撮影画像Ｒと、撮影画像Ｒの左隣に直前に撮影して取得された再生画像Ｐ１が互いに重ならないで表示される。重なり部分によって、撮影画像が見えにくくなることがない。再生画像Ｐ１の左隣には、その前の再生画像Ｐ２が位置する。
【００３０】
この撮影画像Ｒと再生画像Ｐ１，Ｐ２が同時に表示されている表示画面ＳＴ１は、撮影モードと再生モードの混在状態である。すなわち、シャッターボタン２４を押すことによって新たな画像を記録することができると共に、所望の画像を再生画像として表示することができる。したがって、ユーザは、直前に撮影された画像を見ながら、新たに撮影する画像の構図等を決定することができる。
【００３１】
表示画面ＳＴ１においてシャッターボタン２４を押すと、遷移表示画面ＳＴ２を経て表示画面ＳＴ３にアニメーションで遷移する。遷移表示画面ＳＴ２では、撮影画像Ｒが徐々にサイズが小となると共に、左側に移動する。表示画面ＳＴ３では、現在の被写体の撮影画像Ｒ’の左隣に、撮影画像Ｒから派生した再生（記録済）画像Ｐ０が位置し、さらに左隣に再生画像Ｐ１が位置するものとなる。遷移表示画面ＳＴ２が表示される時間は、一瞬である。アニメーション遷移によってユーザは、撮影画像Ｒが再生画像Ｐ０となることが容易に分かる。表示画面ＳＴ３では、撮影および再生の何れのモードも可能である。
【００３２】
図５は、撮影画像Ｒと再生画像Ｐ１，Ｐ２が同時に表示される、撮影モードおよび再生モードが混在している状態で、削除ボタン２６を押した場合の画面遷移を示す。表示画面ＳＴ１１において、削除ボタン２６を押すと、表示画面ＳＴ１２が生じる。
【００３３】
表示画面ＳＴ１２では、枠状のカーソルＣが再生画像Ｐ１に対応した位置に表示され、再生画像Ｐ１を選択していることが示される。撮影画像Ｒの位置に削除ダイアログ２８が表示される。カーソルＣは、十字キー２７の左ボタンを押すことで、左側（より以前）の再生画像を選択することが可能とされている。削除ダイアログ２８は、「削除」と「終了」の一方を十字キー２７の上下ボタンで選択することができ、選択されている側がハイライト表示される。
【００３４】
表示画面ＳＴ１２で示すように、再生画像Ｐ１にカーソルＣが位置していると共に、削除ダイアログ２８の「削除」がハイライト表示されている状態で、「決定」キーを押すと、選択されている再生画像Ｐ１が削除される。十字キー２７の左または右ボタンの操作で、削除する画像が選択される。「決定」キーは、カメラ本体に設けられた機械的なキー、ＧＵＩのキー、十字キー２７の中央部を押すことでオンするキー等である。一実施形態では、撮影モードから再生モードに切り替えることなく、所望の再生画像（撮影済画像）を削除することができる。
【００３５】
図６を参照して十字キー２７を使用して再生モードへの切り替え、並びに再生モードにおける画像選択動作について説明する。
【００３６】
図６における表示画面ＳＴ２１では、ＬＣＤ１３の表示枠ＳＣに記録画像Ｒと再生画像Ｐ１，Ｐ２が混在して表示されている。すなわち、撮影モードと再生モードとが混在した状態である。この状態で、メニューボタン２５を押すと、撮影に関するメニューが表示枠１３内に表示される。
【００３７】
十字キー２７の左ボタンを押すと、枠状のカーソルＣが再生画像Ｐ１を指示する表示画面ＳＴ２２が表示される状態となる。再生画像Ｐ１を選択した状態は、再生モードである。カーソルＣの横に左側の方向に選択が可能なことを示す矢印カーソルも表示される。再生モードでメニューボタン２５を押すと、再生に関するメニューが表示枠ＳＣ内に表示される。ここで、拡大ボタン、または縮小ボタンを操作することによって、選択されている再生画像Ｐ１を拡大または縮小することが可能である。
【００３８】
さらに、十字キー２７の左ボタンを押すと、遷移表示画面ＳＴ２３を経て表示画面ＳＴ２４にアニメーションで遷移する。遷移表示画面ＳＴ２３が表示される時間は、一瞬である。表示画面ＳＴ２４では、撮影画像Ｒが消され、カーソルＣが再生画像Ｐ２を指定する。再生画像の切り替えが両方向に可能であるために、矢印カーソルが両側に表示される。
【００３９】
よりさらに十字キー２７の左ボタンを押すと、遷移表示画面ＳＴ２５を経て表示画面ＳＴ２６にアニメーションで遷移する。遷移表示画面ＳＴ２５が表示される時間は、一瞬である。表示画面ＳＴ２６では、カーソルＣが再生画像Ｐ３を指定する。再生画像の切り替えが両方向に可能であるために、矢印カーソルが両側に表示される。
【００４０】
以上の説明では、ＬＣＤ１３の表示枠ＳＣが横長のワイド画面とされている。この発明は、ワイド画面を有するＬＣＤに限らず、（４：３）のアスペクト比の表示枠ＳＣを有するＬＣＤを使用しても良い。
【００４１】
さらに、図７に示すように、十字キー以外に両方向に回転可能なダイヤルキーを使用しても良い。図７Ａは、時間軸操作ダイヤルの一例を示す。カメラ本体２１の背面および側面からやや突出して、時間軸操作ダイヤル２２ａが設けられる。図７Ｂに示す例では、カメラ本体２１の上面に時間軸操作ダイヤル２２ｂが設けられる。
【００４２】
時間軸操作ダイヤル２２ａおよび２２ｂは、銀塩カメラのフィルム巻き上げのダイヤルと同様の形状と操作感を有している。すなわち、所定の回転量ずつ回転可能とされている。また、時間軸操作ダイヤル２２ａ，２２ｂは、カメラ本体２１の上面から見て時計方向および反時計方向に回転可能とされている。
【００４３】
この発明は、上述したこの発明の一実施形態等に限定されるものでは無く、この発明の要旨を逸脱しない範囲内で様々な変形や応用が可能である。例えばこの発明は、静止画像を記録するディジタルカメラに限定されるものではなく、動画を記録する撮影装置、並びに静止画および動画の両方を記録可能な撮影装置に対しても適用できる。動画の場合では、例えば１回の撮影の先頭の画像をＬＣＤ等に表示するようになされる。
【図面の簡単な説明】
【００４４】
【図１】この発明による撮像装置の一実施形態の構成を示すブロック図である。
【図２】この発明の一実施形態における画像の時間軸上の配列を説明するための略線図である。
【図３】この発明の一実施形態における内部記録媒体上に保持される表示用データの説明に用いる略線図である。
【図４】ワイドＬＣＤを使用した場合にシャッターボタンを押した時の表示画面の遷移を順に示す略線図である。
【図５】ワイドＬＣＤを使用した場合に削除ボタンを押した時削除動作時の表示画面の遷移を順に示す略線図である。
【図６】ワイドＬＣＤを使用した場合のモード切り替え時の表示画面のアニメーション遷移を順に示す略線図である。
【図７】この発明に使用可能なダイヤルの一例および他の例を説明するための略線図である。
【符号の説明】
【００４５】
１・・・処理部
２・・・ＣＰＵ
３・・・内部記録媒体
９・・・操作部
１１・・・外部記録媒体
１２・・・ＣＣＤ
１３・・・ＬＣＤ
２５・・・削除ボタン
２７・・・十字キー
【図１】
2005328243.tif 000003
【図２】
2005328243.tif 000004
【図３】
2005328243.tif 000005
【図４】
2005328243.tif 000006
【図５】
2005328243.tif 000007
【図６】
2005328243.tif 000008
【図７】
2005328243.tif 000009